(57)【要約】【課題】  ウミケムシ12に手を触れることなく、空中でウミケムシを外し、そのまま海中に落として処分できる針外し器を提供する【課題を解決するための手段】  針外し器１は、針外し棒３と、該針外し棒の柄部（3p）に沿ってスライドするスライドレバー４を備える。針外し棒３は、握り部3b、柄部3p、先部3z、及び、該先部に植設されたＣ字ピン30を有する。スライドレバー４は、Ｃ字ピン30に掛かった釣針15の針先15b外面をこそげるこそげ部4zを有する。【選択図】  図６
2017216925.tif 000002
【特許請求の範囲】
【請求項１】
握り部（3b）、該握り部から先側に延びる柄部（3p）、該柄部の先側に接続された先部（3z）、及び、該先部に植設されたＣ字ピン（30）を有する針外し棒（３）と、
該針外し棒（３）の前記柄部（3p）に沿ってスライドするとともに、前記Ｃ字ピン（30）に掛かった釣針（15）の針先（15b）外面をこそげる、スライド式こそげ部材（４）と、  を具備することを特徴とする針外し器（１）。
【請求項２】
前記スライド式こそげ部材（４）が、
前記針外し棒（３）の外面に嵌合するスライド孔（4k）の形成された中央ブロック部（4g）と、
該中央ブロック部の元側に形成された指掛け部（4b）と
前記中央ブロック部（4g）の先側に形成されたこそげ部（4z）と、
を有する請求項１記載の針外し器（１）。
【請求項３】
前記こそげ部（4z）が、
股状の盛り上がり部（4w）と、
該股状の盛り上がり部の間の針通し溝（4y）と、を有し、
該針通し溝で前記針先（15b）の両側面をこそげるものである請求項２記載の針外し器（１）。
【発明の詳細な説明】
【技術分野】
【０００１】
本発明は、釣った魚から釣針を外すのに用いる針外し器に関する。特には、ウミケムシが針にかかった場合に、ウミケムシに手を触れずに釣針から外せる針外し器に関する。
【背景技術】
【０００２】
釣針を飲み込んだ魚から針を外す針外し器として昔から広く用いられているものは、太さ４ｍｍ程度・長さ２０ｃｍ程度の金属棒の端部にＣ字型部（フック部）を形成したもの（ここでは「編み棒型」という）である。なお、魚のサイズによって、異なるサイズの針外し器を用いる。この「編み棒型」の針外し器を用いて針を外す際には、まず釣った魚を手で持って、魚の口から出ているハリスにＣ字型部の切り欠き（スリット）を通し、ハリスに沿ってＣ字型部を魚の口の中に差し込む。そして、針まで達したＣ字型部を針のフトコロの最深部に当てて、針外し器を魚の奥方向に押す。すると、針が魚の口内の肉から奥方向に抜けて外れる。
【０００３】
この「編み棒型」の針外し器の改良型としては、Ｃ字型部を形成した側の反対側の端部に、魚の口の入口に近い部分に刺さった針を外しやすいＹ字型部を設けたものがある。また、Ｃ字型部からハリスが抜け出さないよう、切り欠きを閉じるレバー（いわゆるナスカン）を設けたものがある。
【０００４】
「編み棒型」の針外し器の弱点は、片手で魚を握って、もう一方の手で針外し器を操作しなければならない点である。ところが、ゴンズイやハオコゼなど、ヒレに毒針を持つ魚や、メゴチやヒイラギなど体表面にヌメリ質を持つ魚が掛かった場合は、手で魚を握ることができない。その場合は、魚ハサミ（氷ハサミのようなもの）で魚を挟んで針外しせねばならず、煩雑さが増す。
【０００５】
さらに面倒なのが、釣針にウミケムシがかかった場合である。ウミケムシ（海毛虫）とは、ゴカイと同じ多毛類に属する生物で、体長10cm程度で、体側に毒針の体毛がびっしり生えた生物である。元々は南太平洋やインド洋などの暖かい海にもっぱら生息していたのであるが、地球温暖化の影響か、近年は、日本の瀬戸内海で繁殖し、さらに太平洋側では伊豆近辺、日本海側では富山湾・山形沿岸でも見られるようになっている。
【０００６】
ウミケムシは、特に、カレイ釣りのような、数本の投げ竿を竿立てに掛けて置き竿で狙う釣りによくかかる。カレイ釣りでは、比較的大きな釣針に太いイソメの餌さをつけるのが代表的であるが、ウミケムシがイソメと大針を丸呑みにして掛かってくる。このウミケムシは上述のように毒針が体側にびっしり生えており、素手で触れると刺されて痛みや痒みが出ることから、釣り人の嫌われ者である。
【０００７】
ウミケムシを釣針から外すときには、食いつかれた餌さのイソメにもウミケムシの毒針が刺さっているため（ウミケムシは体の内側からも毒針を刺す）、イソメもすっかり取り除く必要がある。ウミケムシに手を触れずにイソメと共に外すには、上述の「編み棒型」の針外し器や、針金をＵ字型に曲げたものを用いて、Ｃ字やＵ字の中で針を掛け、ハリスを手で引っ張って、ウミケムシとイソメをしごいて針の深奥部まで出し、最後は針先に付いているのを、釣り場の岩・石・ガードレールなどに擦り付けて外し、海中に蹴落とすといった対処を行う。このような処置は、手間がかかるし、不意にウミケムシが手に触れる危険性がある。
【発明の開示】
【発明が解決しようとする課題】
【０００８】
本発明は、通常の魚から針を外すことができるとともに、ウミケムシが掛かった場合には、ウミケムシや餌さに手で触れることなく、空中でウミケムシや餌さを外し、そのまま海中に落として処分できる針外し器を提供することを目的とする。
【課題を解決するための手段】
【０００９】
本発明の針外し器（１）は、  握り部（3b）、該握り部から先側に延びる柄部（3p）、該柄部の先側に接続された先部（3z）、及び、該先部に植設されたＣ字ピン（30）を有する針外し棒（３）と、  該針外し棒（３）の前記柄部（3p）に沿ってスライドするとともに、前記Ｃ字ピン（30）に掛かった釣針（15）の針先（15b）外面をこそげる、スライド式こそげ部材（４）と、  を具備することを特徴とする。
【００１０】
本発明の針外し器（１）においては、  前記スライド式こそげ部材（４）が、  前記針外し棒（３）の外面に嵌合するスライド孔（4k）の形成された中央ブロック部（4g）と、  該中央ブロック部の元側に形成された指掛け部（4b）と、  前記中央ブロック部（4g）の先側に形成されたこそげ部（4z）と、を有するものとすることができる。
【発明の効果】
【００１１】
本発明の針外し器（１）を用いて、図３に示すように、ハリス（17）をＣ字ピン（30）内に入れる。続いて、図４・図５に示すように、ハリス（17）を引っ張りながら針（15）をＣ字ピン（30）内に引き込むと、しごかれるように、ウミケムシ（12）の口（12b）から針（15）が引き出される。次に、図６に示すように、スライド式こそげ部材（４）を先側にスライドさせて、Ｃ字ピン（30）に掛かった釣針（15）の針先（15b）の外面をこそげる。これにより、針先（15b）に引っ掛かっているウミケムシ（12）は、こそげ落とされて自重で下に落ちる。そのため、ウミケムシが掛かった場合には、ウミケムシ（１２）に触れることなく、空中でウミケムシ（飲み込んでいる餌さを含む）を外し、そのまま海中に落として処分できる。
【図面の簡単な説明】
【００１２】
【図１】本発明の実施形態に係る針外し器１の構成を示す斜視図である。（Ａ）は全体構成を示し、（Ｂ）は針外し棒３単体を示し、（Ｃ）はスライド式こそげ部材（スライドレバー）４単体を示す。
【図２】図１の針外し器１において、スライドレバー４を動かした状態の斜視図であって、（Ａ）はスライドレバー４が元側に引かれている状態であり、（Ｂ）はスライドレバー４が先側に押し出された状態である。
【図３】図１の針外し器１を用いてウミケムシ12を釣針15から外す動作を説明する図であり、ウミケムシ12を釣った針15・ハリス17が垂れた状態で、針外し棒３先端のＣ字ピン30にハリス17を通した状態である。
【図４】図３から進んで、ハリス17を引き、針15をＣ字ピン30の先側に回して、ウミケムシ12から針15を抜き出している状態である。
【図５】図４から進んで、さらにハリス17を先側に引いて針15を180度回し、ウミケムシ12を針フトコロ15mの深奥部までしごき出している状態である。
【図６】図５から進んで、スライドレバー４を先側にスライドさせてウミケムシ12を押し、針15からウミケムシ12を外して落下させている状態である。
【符号の説明】
【００１３】
Ｈ;手、LH;左手、RH;右手、F1;親指、F2；人差し指、１；針外し器、
３；針外し棒、3b；元端部（握り部）、3d；柄元部、3g；柄中部、3k；柄先部
3p；柄部、3t；盛り上がり部、3r；溝、3s；下凸部、3w；平部、
3x；Ｃ字状凹部、3y；先凸部、3z；先部
30;Ｃ字ピン、30b；スリット、30c；奥部、30d；先端部、30g；後側の足、
30k；手前側の足、
４；スライドレバー（スライド式こそげ部材）、4b；指掛け部、4d；上元側延長部、
4g；中央ブロック部、4k；貫通孔、4r；下先側延長部、4t；先部、4w；盛り上がり部、
4y；針通し溝、4z；こそげ部
12；ウミケムシ、12b；口、
15；針、15b；針先、15m；フトコロ、17；ハリス
【発明を実施するための形態】
【００１４】
以下、本発明の実施の形態について、図面を参照しながら詳細に説明する。各図に示す方向の意味は次のとおりである。「元」は針外し器１を手で握る元端の部分（握り部3b）の側であり、「先」はその反対方向であって、ウミケムシ12や針15（図４参照）を処置するＣ字ピン30や先部3zの側である。「上」及び「下」は、この針外し器１を使用してウミケムシ12を針15から外す状態（図３〜６参照）における概略の上方向あるいは下方向を示す。「前」は、針外し器１を右手で持った使用者から見た手前側であり、「後」はその反対側である。
【００１５】
この例の針外し器１は、針外し棒３と、この針外し棒３の柄部3pに沿ってスライドするとスライド式こそげ部材であるスライドレバー４と、を具備する。針外し棒３は、握り部3b、該握り部3bから先側に延びる柄部3p、該柄部3pの先側に接続された先部3z、及び、該先部3zに植設されたＣ字ピン30を有する。スライドレバー４は、前記Ｃ字ピン30に掛かった釣針15をこそげる、スライド式こそげ部材である。
【００１６】
針外し棒３は、全体として棒状の物であり、プラスチック材料などを成形して作製される。この例の針外し棒３の元端部（握り部）3b は、二股状で、元側が分かれるとともに、高さが高くなっている。元端部（握り部）3b は、針外し器１を使用する場合に手Ｈで握る部分である。柄部3pは、元端部3bの先側につながって延びる棒状の部分であり、元側から先側に向かって、柄元部3d・柄中部3g・柄先部3kと呼ぶ。柄部3pの先には、ウミケムシ12や針15（図４参照）を処置する先部3zが接続されている。
【００１７】
針外し棒３の長さは、ウミケムシに手が触れないようにすることなどを考慮して、１５〜２０ｃｍ程度が好ましい。先部3zの断面寸法は、カレイなどの中型魚の針外しに使えるように、縦横９ｍｍ程度以下が好ましい。しかし、これらの寸法に限定されるものではない。
【００１８】
柄部3pの先部3zには、図１（Ｂ）に示すように、その元側に、並列対向する盛り上がり部3t、及び、その間のハリス通し溝3rが形成されている（通常の編み棒型針外し器のように魚から針外しするときにハリス17がハリス通し溝3rに案内される）。また、盛り上がり部3tの部分の下面にも、下に盛り上がる下凸部3sが形成されている。下先部3zの先側は、略板状の平部3w、及び、この平部3wの前側において先側に突出する先凸部3yとが形成されている。先凸部3yは、Ｃ字ピン30と共同して、Ｃ字状凹部3xを形成する。それらの作用については、図３〜図６を参照しつつ後述する。
【００１９】
Ｃ字ピン30は、一例で太さ1.5mm程度のステンレス棒を、Ｕ字状に曲げたものである。Ｃ字ピン30の足の長さは、後側の足30gが長く、手前側の足30kが短い。Ｃ字ピン30の後側の足30gは、先部3zの平部3wの後側の先端に、植え込まれている。先凸部3yと、Ｃ字ピン30とは、共同して、Ｃ字状凹部3xを形成する。前側の足30kの元端と、前述の柄先凸部3yとの間には、隙間（スリット30b）が開いており、このスリット30bにハリス17を通せるようになっている（図３参照）。先端部30d丸くなっており、魚11の口11bの奥に差し込みやすくなっている。Ｃ字状凹部3xの先側のＣ字ピン奥部30cは、ウミケムシ12の針15からのしごき出し時に、針のフトコロ15mが当たる部位である（図５参照）。
【００２０】
スライドレバー（スライド式こそげ部材）４は、図１（Ｃ）に分かり易く示すように、元先方向の略中央の中央ブロック部4gと、その元側あるいは先側に突出する上元側延長部4d、及び、下先側延長部4rとからなる。中央ブロック部4gには、貫通孔（スライド孔）4kが、元先に延びるように貫通している。この貫通孔4kには、針外し棒３の柄部3pが、元先摺動自由に嵌合する。
【００２１】
上元側延長部4dは、中央ブロック部4gの元側上端部から、やや上方向の元側に延びている。上元側延長部4dの先端部（元端部）には、少し盛り上がった指掛け部4bが形成されている。この指掛け部4bは、図６に示すように、使用者が右手HRの親指などでスライドレバー４を押し引きする部分である。
【００２２】
下先側延長部4rは、中央ブロック部4gの先側下端部から、先側に延びている。下先側延長部4rの先部4tには、並列対向する盛り上がり部4w、及び、その間に先元方向に延びる針通し溝4yが形成されている。
【００２３】
ここで、本実施形態の針外し器１の使用方法について説明する。まず、図２（Ａ）に示すように、スライドレバー４を元側に引いた状態では、普通の編み棒型の針外し器として用いることができる。図２（Ｂ）に示すように、スライドレバー４を先側に押し出すと、図６を参照しつつ後述するように、針15に掛かったウミケムシ12を、針先15bからこそぎ落とすことができる。なお、スライドレバー４の前進限は、針外し棒３の先側の盛り上がり部3tと下凸部3sに、中央ブロック部4gの先側面が当たることにより定まる。
【００２４】
次に、図３〜６を参照しつつ、本実施形態の針外し器１を用いてウミケムシ12を釣針15から外す動作について説明する。
図３では、ウミケムシ12が針15にかかって、ハリス17が重力方向に垂れた状態で、ハリス17を、例えば左手LHの親指F1と人差し指F2でつまみ、針外し器１を右手RHで持って、その先端のＣ字状凹部30xにハリス17を入れている（ハリス17はスリット30bを通る）。なお、手Ｈの左右や指の説明は一例の説明であり、左利きの人は左手で針外し器１を持つであろう。
【００２５】
図３から、ハリス17を斜め上先方向に引っ張ると、図４に示すように、釣針15がＣ字ピン30を支点に回転しながら引き上げられる。そして、ウミケムシ12の口12bは、Ｃ字ピン30に当たってしごかれて、針15がウミケムシ12の中から出てくる。続いて、図５に示すように、ハリス17を針外し器１の先方向に延びるように引くと、ウミケムシ12及び飲み込んでいるイソメも一緒にしごかれ、針15のフトコロ15mの深奥部までしごき出される。
【００２６】
次に、図６に示すように、スライドレバー（スライド式こそげ部材）を先側にスライドさせて、Ｃ字ピン30に掛かった釣針15の針先15bの両側面を、盛り上がり部4wの間の針通し溝4yでこそげる。なお、スライド中に、スライドレバー４の盛り上がり部4wが、針外し棒３の下凸部3sを通過した後、指掛け部4bを下に押すことにより、スライドレバー４がやや先上がりに回動して、盛り上がり部4wや針通し溝4yを、針先15bに押し当てる。
【００２７】
これにより、針先15bに引っ掛かっているウミケムシ12はこそげ落とされて、自重で下に落ちる。このように、ウミケムシが掛かった場合には、ウミケムシ12に手を触れることなく、空中でウミケムシ（飲み込んでいる餌さを含む）を外し、そのまま海中に落として処分できる。
【００２８】
中型の魚（カレイなど）が掛かった場合は、本実施形態の針外し器１を、従来の「編み棒型」の針外し器同様に用いて針外しできる。
なお、本発明には、さまざまな変形・追加を加えることができる。
【図１】
2017216925.tif 000003
【図２】
2017216925.tif 000004
【図３】
2017216925.tif 000005
【図４】
2017216925.tif 000006
【図５】
2017216925.tif 000007
【図６】
2017216925.tif 000008